(57)【要約】      （修正有）【課題】ロープ等を掛けるパーティション用スタンドのスタッキング用切欠部を躓かない方向に向けられるスタンドを提供する。【解決手段】台座２から支柱３を立ち上がらせ、支柱３の上部にロープ等のパーティング材Ｐの端掛具ｔを掛ける掛止片４を突設し、台座２にスタッキング用の切欠部５を形成したパーティション用スタンドにおいて、前記掛止片４を支柱３に介在する環状部６から延出し、支柱３を環状部６の下方の下柱部７と上方の上柱部８とから構成し、下柱部７と上柱部８とを、台座２に対して支柱３の軸線周りに非回転に固定し、掛止片４を環状部６と共に、下柱部７と上柱部８に対して支柱３の軸線周りに回転自在とする。掛止片４の回転に伴い、パーティング材Ｐの延びる方向と台座２の切欠部５の方向を一致させて、歩行者が躓かないようにする。【選択図】図１
2013189746.tif 000002
【特許請求の範囲】
【請求項１】
台座(2)から支柱(3)を立ち上がらせ、支柱(3)の上部にロープ等のパーティング材(P)の端掛具(t)を掛ける掛止片(4)を突設し、台座(2)にスタッキング用の切欠部(5)を形成したパーティション用スタンドにおいて、前記掛止片(4)を支柱(3)に介在する環状部(6)から延出し、前記支柱(3)を環状部(6)の下方の下柱部(7)と上方の上柱部(8)とから構成し、下柱部(7)と上柱部(8)とを、台座(2)に対して支柱(3)の軸線周りに非回転に固定し、掛止片(4)を環状部(6)と共に、下柱部(7)と上柱部(8)に対して支柱(3)の軸線周りに回転自在としたことを特徴とするパーティション用スタンド。
【発明の詳細な説明】
【技術分野】
【０００１】
この発明は、博物館や美術館、イベント会場等において、ロープ等のパーティング材を張設してパーティションを設置するためのスタンドに関するものである。
【背景技術】
【０００２】
例えば、来場者で混み合うことが予想される博物館や美術館、イベント会場等では、空間を仕切って人の流れを整理し、事故や展示物の破損を防止するため、図１２に示すように、スタンド５１を複数本配列し、これにロープやチェーン等のパーティング材Ｐを掛け渡したパーティションが設置されることがある。
【０００３】
このパーティションに使用されるスタンド５１は、円板状の台座５２から支柱５３を立ち上がらせ、支柱５３の上部に、パーティング材Ｐの端部に取り付けられた端掛具ｔを掛ける掛止片５４を突設し、これと直角をなすように、台座５２にスタッキング用の切欠部５５を形成したものとされている。
【０００４】
このようなスタンド５１を多数本倉庫等に保管しておく際には、台座５２の切欠部５５に他のスタンド５１の支柱５３の下部を進入させ、台座５２を重ね合わせておくと、嵩張ることがなく、スペースを有効に利用できる。
【０００５】
なお、台座にスタッキング用の切欠部を有するスタンドは、パーティング材としてベルトを使用するものについて、下記特許文献１に記載されている。
【先行技術文献】
【特許文献】
【０００６】
【特許文献１】特開２０１１−１２２３１５号公報（段落［００３３］、図５）
【発明の概要】
【発明が解決しようとする課題】
【０００７】
しかしながら、図１２に示したようなスタンド５１では、掛止片５４の突出方向と切欠部５５の角度が直角に固定されているため、パーティションの設置状況によっては、切欠部５５に歩行者が躓くおそれがある。
【０００８】
そこで、この発明は、ロープ等を掛けるパーティション用スタンドのスタッキング用切欠部を、躓かない方向へ向けられるようにすることを課題とする。
【課題を解決するための手段】
【０００９】
上記課題を解決するため、この発明は、台座から支柱を立ち上がらせ、支柱の上部にロープ等のパーティング材の端掛具を掛ける掛止片を突設し、台座にスタッキング用の切欠部を形成したパーティション用スタンドにおいて、前記掛止片を支柱に介在する環状部から延出し、前記支柱を環状部の下方の下柱部と上方の上柱部とから構成し、下柱部と上柱部とを、台座に対して支柱の軸線周りに非回転に固定し、掛止片を環状部と共に、下柱部と上柱部に対して支柱の軸線周りに回転自在としたのである。
【発明の効果】
【００１０】
このパーティション用スタンドでは、パーティション設置に際し、掛止片を環状部と共に、支柱の下柱部と上柱部に対して回転させ、ロープ等のパーティング材の延びる方向と台座の切欠部の方向を一致させて、歩行者が躓かないようにすることができる。
【００１１】
このとき、上柱部が回転しないので、環状部をスムーズに回転させて、掛止片の方向を調整することができ、パーティング材を引っ張るだけでも、掛止片の方向を変えることができ、スタンド全体を持ち上げて回す必要もなく、パーティションの設置作業を容易に行うことができる。
【００１２】
また、スタンドを倒した時、掛止片が床面に衝突すると、掛止片が衝撃力を受けないように自然に回転するので、掛止片の破損が防止される。
【図面の簡単な説明】
【００１３】
【図１】この発明の第１実施形態に係るスタンド全体を示す斜視図
【図２】同上の要部拡大斜視図
【図３】同上のスタンド全体の縦断面図
【図４】同上の要部拡大縦断面図
【図５】同上のスタンドのスタッキング状態を示す斜視図
【図６】同上のスタンドの使用例を示す概略平面図
【図７】同上のスタンドの使用例を示す概略平面図
【図８】この発明の第２実施形態に係るスタンドの要部拡大斜視図
【図９】同上の要部拡大縦断面図
【図１０】この発明の第３実施形態に係るスタンドの要部拡大斜視図
【図１１】同上の要部拡大縦断面図
【図１２】従来のスタンドを使用したパーティションを示す斜視図
【発明を実施するための形態】
【００１４】
この発明の第１実施形態を図１乃至図４に基づいて説明する。
【００１５】
図１乃至図３に示すように、このスタンド１は、円板状の台座２から支柱３を立ち上がらせ、支柱３の上部に、ロープ等のパーティング材Ｐの端部に取り付けられた端掛具ｔを掛けるため、一対の鉤状の掛止片４を突設し、台座２にスタッキング用の切欠部５を形成したものとされている。
【００１６】
パーティング材Ｐの端掛具ｔは、図示のような輪状部を掛止片４に掛けるリング式のもののほか、鉤状部を掛止片４に掛けるフック式のものも使用できる。
【００１７】
掛止片４は、支柱３に介在する環状部６から延出され、支柱３は、環状部６の下方の下柱部７と上方の上柱部８とから構成されている。下柱部７と上柱部８とは、台座２に対して支柱３の軸線周りに非回転に固定され、掛止片４及び環状部６は、下柱部７と上柱部８に対して支柱３の軸線周りに回転自在とされている。
【００１８】
上柱部８の頭部には、擬宝珠状の装飾物９が取り付けられ、台座２の中心部から下柱部７、環状部６及び上柱部８の内部を通って上方へ延びる芯ボルト１０の先端部が装飾物９のねじ穴にねじ込まれている。
【００１９】
ここで、掛止片４の取付部分の構造について詳述すると、図３及び４に示すように、下柱部７の上端部に端柱材１１が、上柱部８の下端部に端柱材１２がそれぞれ固定され、端柱材１１，１２を芯ボルト１０が貫通している。
【００２０】
端柱材１１には、芯ボルト１０の周りにボス部１３が設けられ、芯ボルト１０の装飾物９へのねじ込みに伴い、ボス部１３の上端が端柱材１２に当接し、環状部６が介在する部分においては、環状部６に挟圧力が作用しないようになっている。
【００２１】
掛止片４と環状部６とは別体とされ、これらはボルト１４及びナット１５で固定されている。環状部６は、ボス部１３の周りに回転するように摺接し、端柱材１１の溝に嵌められたＯリング１６により、回転抵抗が付与されている。
【００２２】
このようなスタンド１を多数本倉庫等に保管しておく際には、図５に示すように、台座２の切欠部５に他のスタンド１の支柱３の下部を進入させ、台座２を重ね合わせてスタッキングしておくと、嵩張ることがなく、スペースを有効に利用できる。このとき、掛止片４は、相互に干渉しないように、切欠部５に対して直角となる方向へ向けておく。
【００２３】
そして、例えば、このようなスタンド１を使用したパーティションを、図６に示すように、通路の中央部分に設置するような場合には、掛止片４を環状部６と共に、支柱３の下柱部７と上柱部８に対して回転させ、パーティング材Ｐの延びる方向と台座２の切欠部５の方向とを一致させて、歩行者が切欠部５で躓かないようにすることができる。
【００２４】
この設置に際し、掛止片４は、上記のような機構により支柱３の軸線周りに回転自在とされていることから、掛止片４を環状部６と共に回転させても、上柱部８が回転せず、環状部６をスムーズに回転させて、掛止片４の方向を調整することができ、パーティング材Ｐを引っ張るだけでも、掛止片４の方向を変えることができる。
【００２５】
また、図７に示すように、美術館や博物館において、展示品保護等のため、パーティションを壁際に設置する場合には、掛止片４は、スタッキング時の状態のまま、切欠部５に対して直角となる方向へ向けておけばよい。
【００２６】
次に、この発明の第２実施形態を図８及び図９に基づいて説明する。なお、ここでは、上記第１実施形態と異なる掛止片４の取付部分についての言及に留める。
【００２７】
このスタンド１では、パーティング材Ｐの端掛具ｔとして、フック式のもののみが使用でき、掛止片４には、端掛具ｔが不意に抜けないように掛ける穴が設けられ、掛止片４と環状部６とは一体とされている。
【００２８】
下柱部７の上端には端柱部７ａが形成され、端柱部７ａに環状部６が嵌まるボス部１３が設けられている。上柱部８の下端部には、ナット部８ａが設けられ、これに芯ボルト１０の先端部がねじ込まれている。
【００２９】
このようなスタンド１でも、パーティション設置に際し、掛止片４を環状部６と共に、支柱３の下柱部７と上柱部８に対してスムーズに回転させ、ロープ等のパーティング材Ｐの延びる方向と台座２の切欠部５の方向を一致させて、歩行者が躓かないようにすることができる。
【００３０】
次に、この発明の第３実施形態を図１０及び図１１に基づいて説明する。なお、ここでも、上記第１実施形態と異なる掛止片４の取付部分についての言及に留める。
【００３１】
このスタンド１では、パーティング材Ｐの端掛具ｔとして、図示のようなリング式のもののほか、フック式のものも使用でき、掛止片４には、リング式の端掛具ｔを掛ける鉤部４ａと、フック式の端掛具ｔを掛ける輪部４ｂとが設けられ、掛止片４と環状部６とは一体とされている。
【００３２】
端柱材１１，１２は筒状とされ、端柱材１１の外周に環状部６が嵌められて、端柱材１１，１２のフランジにより環状部６の軸方向への移動が規制されている。
【００３３】
このようなスタンド１でも、パーティション設置に際し、掛止片４を環状部６と共に、支柱３の下柱部７と上柱部８に対してスムーズに回転させ、ロープ等のパーティング材Ｐの延びる方向と台座２の切欠部５の方向を一致させて、歩行者が躓かないようにすることができる。
【符号の説明】
【００３４】
１  スタンド
２  台座
３  支柱
４  掛止片
４ａ  鉤部
４ｂ  輪部
５  切欠部
６  環状部
７  下柱部
７ａ  端柱部
８  上柱部
８ａ  ナット部
９  装飾物
１０  芯ボルト
１１，１２  端柱材
１３  ボス部
１４  ボルト
１５  ナット
１６  Ｏリング
Ｐ  パーティング材
ｔ  端掛具
【図１】
2013189746.tif 000003
【図２】
2013189746.tif 000004
【図３】
2013189746.tif 000005
【図４】
2013189746.tif 000006
【図５】
2013189746.tif 000007
【図６】
2013189746.tif 000008
【図７】
2013189746.tif 000009
【図８】
2013189746.tif 000010
【図９】
2013189746.tif 000011
【図１０】
2013189746.tif 000012
【図１１】
2013189746.tif 000013
【図１２】
2013189746.tif 000014